(57)【特許請求の範囲】
【請求項１】
歯科診療ユニット本体５０の上方にポール５１を介して無影灯５２を設けるとともにインスツルメント５５を係止するテーブル本体５４を水平方向に回動自在なアーム５３の先端に設けることにより構成した歯科診療ユニット５６において、
前記テーブル本体５４とアーム５３を、アーム２の先端より切り離し、着脱自在な接続手段を介して接続自在に構成したテーブル本体１により構成するとともに、前記テーブル本体１とアーム２の接続手段は前記アーム２の先端部にテーブルステー４を形成し、当該テーブルステー４の基端部に水、エア、電気の各接続口５ａ、６ａ、７ａが支持部材９ａにて支えられた供給側ジョイントＰを設け、前記テーブル本体１には前記アーム２側のテーブルステー４を挿通する挿通孔１２を開口し、その先方にはテーブルステー４を結合するテーブルステー受け１３を設け、当該テーブルステー受け１３に前記供給側ジョイントＰの水、エア、電気の各接続口５ａ、６ａ、７ａそれぞれを接続する５ｂ、６ｂ、７ｂからなる受給側ジョイントＱを設けることにより構成したことを特徴とするテーブル本体着脱式歯科診療ユニット。
【請求項２】
前記テーブル本体には、水、エア、電気を外部供給源の接続手段としての接続口２５，２６，２７からなる外部供給源接続ジョイントＱ−２を支持部材９ｂを介して設けるとともに水タンク２９、エアコンプレッサ３０およびバッテリ３１を備える外部供給ボックス３２の水ホース３３，エアホース３４，電源ホーム３５の各先端を接続した各接続口３３ａ、３４ａ、３５ａを支持部材９ｃに支持してなるジョイントＰ−２を設け、前記テーブル本体１側の外部供給源接続ジョイントＱ−２に前記外部供給ボックス３２のジョイントＰ−２をワンタッチ接続することが可能に構成したことを特徴とする請求項１記載のテーブル本体着脱式歯科診療ユニット。
【請求項３】
前記アーム２とテーブル本体１あるいはテーブル本体１と外部供給源との接続手段としての供給側および受給側ジョイントＰ，ＱあるいはＰ−２，Ｑ−２は、支持部材９ａ、９ｂ、９ｃあるいはテーブルステー受け１３に支持する各接続口５ａ、５ｂ、６ａ、６ｂ、７ａ、７ｂあるいは各接続口３３ａ、３４ａ、３５ａからなるモジュール化した接続手段にて構成し、該接続手段に互換性を持たせて前記テーブル本体１の交換を容易にすることができるように構成したことを特徴とする請求項１または２記載のテーブル本体着脱式歯科診療ユニット。
【請求項４】
歯科診療ユニット本体５０の上方にポール５１を介して無影灯５２を設けるとともにインスツルメント５５を係止するテーブル本体５４を水平方向に回動自在なアーム５３の先端に設けることにより構成した歯科診療ユニット５６において、
前記テーブル本体５４とアーム５３を、アーム２の先端より切り離し、着脱自在な接続手段を介して接続自在に構成したテーブル本体１により構成するとともに、前記テーブル本体１とアーム２の接続手段は前記アーム２の先端部にテーブルステー４を形成し、当該テーブルステー４の基端部に水、エア、電気の各接続口５ａ、６ａ、７ａが支持部材９ａにて支えられた供給側ジョイントＰを設け、前記テーブル本体１には前記アーム２側のテーブルステー４を挿通する挿通孔１２を開口し、その先方にはテーブルステー４を結合するテーブルステー受け１３を設け、当該テーブルステー受け１３に前記供給側ジョイントＰの水、エア、電気の各接続口５ａ、６ａ、７ａそれぞれを接続する５ｂ、６ｂ、７ｂからなる受給側ジョイントＱを設けることにより構成し、
さらに、前記テーブル本体には、水、エア、電気を外部供給源の接続手段としての接続口２５，２６，２７からなる外部供給源接続ジョイントＱ−２を支持部材９ｂを介して設けるとともに水タンク２９、エアコンプレッサ３０およびバッテリ３１を備える外部供給ボックス３２の水ホース３３，エアホース３４，電源ホーム３５の各先端を接続した各接続口３３ａ、３４ａ、３５ａを支持部材９ｃに支持してなるジョイントＰ−２を設け、前記テーブル本体１側の外部供給源接続ジョイントＱ−２に前記外部供給ボックス３２のジョイントＰ−２をワンタッチ接続することが可能に構成するとともに前記テーブル本体１には、当該テーブル本体１に係止するインスツルメント１１の作動を制御するフットコントローラ３６の接続口３７を設けることによりテーブル本体１にフットコントローラ３６を接続し、当該テーブル本体１に係止するインスツルメント１１をコントロールすることができるように構成することにより、前記テーブル本体１に外部供給源としての外部供給ボックス３２を接続してポータブル歯科診療ユニットを構成することができるように構成したことを特徴とするテーブル本体着脱式歯科診療ユニット。
【請求項５】
前記外部供給源としての外部供給ボックス３２は、水タンク２９、エアコンプレッサ３０およびバッテリ３１を備えるとともに水ホース３３，エアホース３４および電源ホース３５の各先端を接続した各接続口３３ａ、３４ａ、３５ａを支持部材９ｃに支持してなるジョイントＰ−２を備えた可搬式外部供給ボックス３２にて構成したことを特徴とする請求項２〜４記載のテーブル本体着脱式歯科診療ユニット。
【請求項６】
前記テーブル本体１には、当該テーブル本体１に係止するインスツルメント１１の作動を制御するフットコントローラ３６の接続口３７を設けることによりテーブル本体１にフットコントローラ３６を接続し、当該テーブル本体１に係止するインスツルメント１１をコントロールすることができるように構成したことを特徴とする請求項１から３記載のテーブル本体着脱式歯科診療ユニット。
【発明の詳細な説明】
【技術分野】
【０００１】
本発明は、テーブル本体を備えた歯科診療ユニットに関する。
【背景技術】
【０００２】
従来の歯科診療ユニットは図6に示すように、ユニット本体50にポール51を介して無影灯52が設けられ、水平方向に伸びる回動自在なアーム53の先端にテーブル本体54が固定されているが、テーブル本体54とアーム53を取り付けたまま歯科診療ユニットを輸送することは困難であった。このために従来はテーブル本体54が固定されたアーム53をユニット本体から一旦取り外して輸送し、現地で再組み立てしていた。しかしこの取り外し、再組み立ては容易でなく、この作業のために多大な時間がかかっていた。
【０００３】
そこでこの問題を解決するために、本願発明はテーブル本体54をアーム53から容易に着脱できる構成にしたものである。またこのテーブル本体54が容易に着脱できる技術は今までに開発されていなかった。更に取り外したテーブル本体54に水やエアを供給する外部供給ボックスを接続して往診用の携帯歯科診療ユニットに構成し、または歯科診療ユニットの制御系の故障、災害時の停電などのときにテーブル本体に外部供給ボックスを接続することにより復旧を待たずに診療の継続ができる構成も今までに開発されていなかった。また本願発明に関連する従来技術の例としては特許文献１および２に示される発明が公知となっている。
【０００４】
特許文献１の発明は、往診用歯科治療ユニット本体にコンプレッサやバキューム装置および治療用器具、薬品、材料等の小物を収納する小物入れ等を一体的に組み込んだ構成にして搬送および取り扱いを容易にしたものである。
【０００５】
特許文献２の発明は、エアタービンを回転させるエアコンプレッサを小型軽量化して携帯を容易にしたものである。
【０００６】
しかしながら、前記従来の特許文献１および２の発明は歯科診療ユニットに備えられたテーブル本体を簡単に外す構成には関係がなく、テーブル本体を携帯用に用いるものでもない。従って往診用歯科治療ユニットを歯科診療ユニットとは別に設備しなければならないために、余分な設備費がかかるなどの問題があった。
【特許文献１】特開平９−７５３７７号公報
【特許文献２】特開２００１−２４５９０１号公報
【発明の開示】
【発明が解決しようとする課題】
【０００７】
解決しようとする問題点は、テーブル本体の故障や災害時において歯科診療ユニットの復帰に時間がかかることと、室内設置の歯科診療ユニットとは別に往診用歯科診療ユニットを設備しなければならない点である。
【課題を解決するための手段】
【０００８】
本発明は、上記課題を解決するために、歯科診療ユニットのアームからテーブル本体を切り離し、アームの先端とテーブル本体との間に着脱自在な接続手段を設け、更にテーブル本体に水、エア、電気を供給する外部供給源の接続手段を設け、前記接続手段をモジュール化して接続手段に互換性をもたせたことを特徴とする。
【発明の効果】
【０００９】
本発明のテーブル本体着脱式歯科診療ユニットは、テーブル本体をアームに対して着脱式に構成し、着脱手段をモジュール化して互換性をもたせたことによりテーブル本体の交換が容易になるので、テーブル本体が故障しても他のテーブル本体と交換して診療を継続することができる。またテーブル本体はモジュール化した接続手段にて外部供給源を接続することができるので歯科診療ユニットの故障や災害時にはテーブル本体に外部供給源を接続することにより故障や災害の復旧を待たずにインスツルメント関係の使用ができる。これにより診療の継続が可能になる。
【００１０】
更に、取り外したテーブル本体は、外部供給源を接続することにより往診用ポータブル歯科診療ユニットとして用いることができる。これにより、往診用ポータブル歯科診療ユニットを室内設置用歯科診療ユニットとは別に設備する必要がなく、設備費が削減されるという利点がある。
【発明を実施するための最良の形態】
【００１１】
歯科診療ユニットの故障や災害の際に復帰を待たずに診療を継続することができるようにする他に、室内設置用歯科診療ユニットとは別に往診用ポータブル歯科診療ユニットを設備しないですむようにするという目的を、テーブル本体をアームに対して着脱自在に構成することにより実現した。
【実施例１】
【００１２】
図1から図4は本発明の実施例１を示し、図1はテーブル本体とアームとの接続部を示す斜視図、図2は流体の接続口を示す断面図、図3は電気の接続口を示す図、図4はテーブル本体に外部供給ボックスを接続する斜視図である。
【００１３】
本発明に係る従来の歯科診療ユニットには、図６に示すように歯科診療ユニット本体５０の上方にポール５１を介して無影灯５２が設けられ、インスツルメント５５を係止するテーブル本体５４が水平方向に回動自在なアーム５３の先端に固定されている。この従来の歯科診療ユニット５６において、本発明は図１に示すようにテーブル本体１をアーム２の先端から切り離し、その相互間に着脱自在な接続手段を設けるものである。この場合の接続手段は、アーム２の先端部にテーブルステー４が形成され、テーブルステー４の基端部に水、エア、電気の各接続口５ａ、６ａ、７ａが支持部材９ａにて支えられた供給側ジョイントＰが設けられている。
【００１４】
一方、テーブル本体１には、アーム２側のテーブルステー４を挿通する挿通孔１２が開口し、その先方にはテーブルステー４を結合するテーブルステー受け１３が設けられていて、このテーブルステー受１３にアーム２側、即ち供給側ジョイントＰの水、エア、電気の各接続口５ａ、６ａ、７ａそれぞれを接続する接続口５ｂ、６ｂ、７ｂからなる受給側ジョイントＱが設けられている。
【００１５】
上記ジョイントPおよびQそれぞれの接続口における、水および空気の接続口は、図2（a）に示すようにジョイントPおよびQが接続されていない状態では、逆止弁15，16それぞれがバネ17、18の付勢で押圧され双方の流路は閉止されている。即ちジョイントPでは矢印19で示す水やエアの供給は停止され、ジョイントQでは矢印20で示す水やエアの逆流が停止されている。また（b）図に示すようにジョイントPとQを接続した状態では、ジョイントPの逆止弁15がジョイントQの挿入端23にて押圧され、バネ17の付勢に抗して後退することにより矢印19で示す供給側の流路が開放される。一方、ジョイントQ側の逆止弁16はジョイントP側から供給される流体の圧力にてバネ18の付勢に抗して後退し、流路が開放される。これにより供給側から受給側へと一方向に流路が開通される。なお図中の符号21はOリングを示す。
【００１６】
電気の接続口は図3に示すように、供給側ジョイントPおよび受給側ジョイントQからなり、それぞれの接続端子面Sにマグネット22が設けられている。これによりジョイントPとQを接近させるだけで相互間にマグネット22の吸引力が作用して引き合い、端子間のワンタッチ接続が可能になる。
【００１７】
上記構成の供給および受給側ジョイントＰおよびＱは、各接続口５ａ、５ｂ、６ａ、６ｂ、７ａ、７ｂそれぞれが支持部材９ａおよびテーブルステー受１３にて支持されたモジュールに構成され、互換性を有するものである。そしてこの供給および受給側ジョイントＰおよびＱは、アーム２先端のテーブルステー４をテーブル本体側の挿通孔１２に挿通すだけでワンタッチ接続が可能であり、テーブル固定ネジ２４にて相互間を固定することにより接続状態が保持される。またこの接続手段は互換性を有するのでテーブル本体１が故障した時など他のテーブル本体との交換が容易である。
【００１８】
以上の説明はテーブル本体１とアーム２との接続手段であるが、アーム２との接続手段の他に図４に示すようにテーブル本体１には水、エア、電気の各接続口２５、２６、２７からなる外部供給源を接続するジョイントＱ−２が支持部材９ｂを介して設けられている。この外部供給源は、図４に示すように水タンク２９、エアコンプレッサ３０およびバッテリ３１が備えられた外部供給ボックス３２からなり、水ホース３３、エアホース３４、電源ホース３５の各先端を接続した各接続口３３ａ、３４ａ、３５ａを支持部材９ｃに支持してなるジョイントＰ−２が設けられていて、このジョイントＰ−２をテーブル本体１側の外部供給源接続ジョイントＱ−２にワンタッチ接続することが可能に構成されている。接続したジョイントＰ−２は固定ネジ４０にてネジ穴４０ａを介して固定することにより接続状態が保持される。
更に、テーブル本体１における他の側面にはテーブル本体１に備えられた各インスツルメント１１を制御するフットコントローラ３６の接続口３７が設けられている。
【００１９】
以上の構成により本発明は、テーブル本体が故障した場合に、モジュール化し互換性を有する接続手段にて直ちに他のテーブル本体とワンタッチ接続にて交換することができる。また制御系の故障時あるいは災害発生時などにより停電しても、テーブル本体1に外部供給ボックス32をワンタッチ接続することにより復旧を待たずに各インスツルメントを用いて診療を継続することができる。またテーブル本体1が故障した場合には他のテーブル本体と即時交換して診療を継続することができる。更にテーブル本体1にフットコントローラ36を接続することによりインスツルメント11のコントロールが容易であり、しかも故障したテーブル本体1は余裕をもって修理することができる。
【実施例２】
【００２０】
図5は本発明の実施例2を示すポータブル歯科診療ユニットの構成を示す斜視図である。
本実施例は、アームから取り外したテーブル本体に外部供給ボックスを接続して往診用のポータブル歯科診療ユニットを構成するものであり、前記実施例１と同一部分には同一の符号を付して重複する説明を省略する。
【００２１】
図５に示すように、アーム２から取り外したテーブル本体１のモジュール化され互換性を有する外部供給源ジョイントＱ−２に対して外部供給源接続ボックス３２のジョイントＰ−２をワンタッチ接続し、固定ネジ４０にてネジ穴４０ａを介し固定して接続状態を保持すると共に、テーブル本体１にフットコントローラ３６を接続することにより往診用のポータブル歯科診療ユニットを構成することができる。
このポータブル歯科診療ユニットを使用する際にはテーブル本体１を図中に示すテーブル支柱３８を使用し、固定台３９上に載置して固定ネジ４１にて固定することにより診療に適切な高さを保持して診療作業を容易にすることができる。またテーブル支柱３８に替えて移動可能なカートにテーブル本体１を固定してもよい。
【００２２】
本実施例は上記構成によりアーム2から外したテーブル本体1をポータブル歯科診療ユニットとして往診用に用いることができるので、室内に設置する歯科診療ユニットとは別にポータブル歯科診療ユニットを設備する必要がなく、設備費の削減が可能になる。
【図面の簡単な説明】
【００２３】
【図１】テーブル本体とアームとの接続部を示す斜視図。（実施例１）
【図２】流体の接続口を示す断面図である。（実施例１）
【図３】電気の接続口を示す図である。（実施例１）
【図４】テーブル本体に外部供給ボックスを接続する斜視図である。（実施例１）
【図５】ポータブル歯科診療ユニットの構成を示す斜視図である。（実施例２）
【図６】従来の歯科診療ユニットの斜視図である。
【符号の説明】
【００２４】
１，５４  テーブル本体
２，５３  アーム
４  テーブルステー
５  水
５ａ、５ｂ、６ａ、６ｂ、７ａ、７ｂ  接続口
６  エア
７  電気
９  支持部材
１１，５５  インスツルメント
１２  挿通孔
１３  テーブルステー受け
１５，１６ 逆止弁
１７，１８ バネ
１９，２０  矢印
２１  Ｏリング
２２  マグネット
２３  挿入端
２４  テーブル固定ネジ
２５，３３ａ  水接続口
２６，３４ａ  エア接続口
２７，３５ａ  電源接続口
２９  水タンク
３０  エアコンプレッサ
３１  バッテリ
３２  外部供給ボックス
３３  水ホース
３４  エアホース
３５  電源ホース
３６  フットコントローラ
３７  フットコントローラの接続口
３８  テーブル支柱
３９  固定台
４０，４１  固定ネジ
５０，５６  歯科診療ユニット
５１  ポール
５２  無影灯
Ｐ  供給側ジョイント
Ｐ−２  ジョイント
Ｑ  受給側ジョイント
Ｑ−２  外部供給源接続ジョイント
【図１】
0005401734.tif 000002
【図２】
0005401734.tif 000003
【図３】
0005401734.tif 000004
【図４】
0005401734.tif 000005
【図５】
0005401734.tif 000006
【図６】
0005401734.tif 000007